(57)【特許請求の範囲】
【請求項１】
管受口の内面にロックリング収納溝が形成され、該収納溝に周方向一つ割りのロックリングを収納し、該ロックリングの割りを広げて先端に突部を有する挿口を前記受口内へ挿入し、該挿入後に前記ロックリングを元通りに縮径させ前記挿口突部に係合可能なようにした離脱防止管継手の接続時に使用される治具であって、前記管受口の内面のロックリング収納溝に収納された周方向一つ割りのロックリングの割りに先端が挿入され、基端側を支点でＶ字状に連接した二本一対の脚体からなる開閉脚と、前記二本一対の脚体の共通する貫通軸に沿って貫通されて、それぞれの脚体にねじ嵌合するねじロッドであって、リード角が互いに逆となるねじ筋が両端に形成されたねじロッドと、該ねじロッドの両端に、ねじロッドを回転操作するために設けられたハンドルとからなる離脱防止管継手の接続用治具。
【請求項２】
管受口の内面に収納された周方向一つ割りのロックリングの、拡げられた割りに挿入される板状先端部と、該板状先端部より前記管受口の内面から端面を経て前記管受口外面へと折り返し可能に一体に設けられた柄部とを有し、前記板状先端部は複数種のサイズのロックリングに対するそれぞれの割り面間の拡大幅に対応して、板状先端部の幅が階段状に変化されてなる離脱防止管継手の接続用治具。
【発明の詳細な説明】
【０００１】
【発明の属する技術分野】
本発明は、離脱防止管継手の接続用治具に関する。
【０００２】
【従来の技術】
離脱防止管継手として図８に示したような管継手が知られている。この管継手は、通常の管継手と同様一方の管１の一端に形成された受口２の内面の収納溝３にロックリング５を収納する一方、他方の管１の先端の挿口６の端部に突部７を形成し、受口２に挿口６を挿入して接合後、管に脱け出し力が作用すると、突部７がロックリング５に係合して脱け出すのを防止する構成とされている。
【０００３】
なお、図中８はシール用ゴム輪、４はバックアップリング、９は押輪、9ａは割輪、１０は押輪締結用ボルトナットを示す。
ところで、上記離脱防止管継手の接続作業を油圧装置などの大掛かりな接合治具を用いずに簡便に接合を行なおうとする場合、挿口突部７がロックリング５に当接して挿入の障害となるので、従来では受口２に挿口６を挿入する前に、図９に示すようにコンパス状の拡大治具１８を用い、脚先端１８ａ、１８ａをロックリング５の割りに挿入し、ねじ１８ｂを操作して脚先端１８ａ、１８ａ間を拡げ、割り面５ａ、５ａが所定の間隔となれば図１０に示すように先端に板状のスペーサ１２を形成した治具１３を図９に示したロックリング５の拡大された割り面５ａ、５ａ間に介挿し、その後スペーサ１２を介挿したまま図１１に示すように挿口６を挿入し、挿口突部７がロックリング５部分を通過して奥方に位置すればスペーサ１２を管外から引き抜き図８に示したようにロックリング５を復元縮小し挿口５外面に圧着させ、挿口６が抜け出る方向に移動した時、突部７と係合することにより抜け出し防止ができるようにしていた。
【０００４】
【発明が解決しようとする課題】
しかし、上記拡大治具１８の開脚操作は、一方の脚１８にねじ嵌合するねじロッド１８ｂを他方の脚１８内面に押し当てて広げていくから、ねじロツド１８ｂの操作する側面がいずれか一方に限られ、管の設置状態によっては拡開操作が行いづらくなることがあった。また、開脚操作は一本のねじロッド１８ｂだけで行うので開脚動作が遅く、また力も要るなどの問題があった。
【０００５】
そして、開脚後、ロックリング５の割りの拡開状態を維持させる治具１３のスペーサ１２の幅も、管種や管径によって異なるので、スペーサ１２の幅に応じた複数の治具１３が必要となるので、その保管管理なども面倒となる問題があった。
【０００６】
この発明は、上記問題を解消しロックリングの拡径操作が簡単かつ迅速に行え、しかも拡径後のスペーサの管理も容易に行える離脱防止管継手の接続用治具を提供することを課題としてなされたものである。
【０００７】
【課題を解決するための手段】
上記課題を解消するため、請求項１の離脱防止管継手の接続用治具は、管受口の内面にロックリング収納溝が形成され、該収納溝に周方向一つ割りのロックリングを収納し、該ロックリングの割りを広げて先端に突部を有する挿口を前記受口内へ挿入し、該挿入後に前記ロックリングを元通りに縮径させ前記挿口突部に係合可能なようにした離脱防止管継手の接続時に使用される治具であって、前記管受口の内面のロックリング収納溝に収納された周方向一つ割りのロックリングの割りに先端が挿入され、基端側を支点でＶ字状に連接した二本一対の脚体からなる開閉脚と、前記二本一対の脚体の共通する貫通軸に沿って貫通されて、それそれの脚体にねじ嵌合するねじロッドであって、リード角が互いに逆となるねじ筋が両端に形成されたねじロッドと、該ねじロッドの両端に、ねじロッドを回転操作するために設けられたハンドルとからなるものである。
【０００８】
この発明によればロックリングを割り部分で拡げる場合に、先端が開く開閉脚の拡径動作が一本のねじロッドの回転操作で行われると共に、そのねじロッドの回転操作のハンドルがねじロッドの両端に設けられているので、どちらの側からでも拡径操作ができ、作業の制約がなくなる。
【０００９】
さらに、開脚は一本のねじロッドの両端にねじ嵌合するねじにより行われるので開閉動作が速く操作が迅速に行える効果を有する。
請求項２の離脱防止管継手の接続用治具は、管受口の内面に収納された周方向一つ割りのロックリングの、拡げられた割りに挿入される板状先端部と、該板状先端部より前記管受口の内面から端面を経て前記管受口外面へと折り返し可能に一体に設けられた柄部とを有し、前記板状先端部は複数種のサイズのロックリングに対するそれぞれの割りの拡大幅に対応して、板状先端部の幅が階段状に変化されてなるものである。
【００１０】
従って、この治具によれば一種の治具で複数種の管径の受口に対応可能であり、多種類の治具を用意したりする面倒さがなくなる。
【００１１】
【発明の実施の形態】
次に、この発明の実施の形態を説明する。
（実施の形態１）
図１はこの発明の実施の形態１である離脱防止管継手の接続用治具の正面図、図２は図１のＡ−Ａ線矢視断面図、図３は図２のＢ−Ｂ線断面図である。
【００１２】
この実施の形態１の離脱防止管継手の接続用治具は、ロックリングの拡径に用いられる治具に関し、周方向一つ割りのロックリングの割りの端面５ａ、５ａ間に先端２０、２０が挿入され、ストッパ２０ａ、２０ａで先端の係合状態の位置決めがされ、他端２１が支点軸２２でＶ字状に連接された二本一対の開閉脚２３、２３に、共通する貫通軸線２４に沿ってねじ嵌合するロッド２５が、前記一対の開閉脚２３にねじ嵌合されている。
【００１３】
このねじロッド２５は、ロッドの両端におねじのねじ筋２５ａ、２５ｂが設けられ、それぞれのねじ筋２５ａ、２５ｂはリード角が互いに逆とされている。
また、それぞれの開閉脚２３、２３とねじロッド２５とは、開閉脚２３に回転自在に支持されためねじ部材２６、２６を介して連接されている。
【００１４】
このめねじ部材２６は、前記ねじロッド２５のおねじ２５ａ、２５ｂとねじ嵌合するめねじ孔２６ａ、２６ｂを有し、二つのめねじ部材２６は共にめねじ孔２６ａ、２６ｂの軸線と直交する軸線周囲に回転自在に前記開閉脚２３に軸支されている。
【００１５】
そして、前記ねじロッド２５の両端にはそれぞれねじロッド２５を回転させるためのハンドル２７、２７が取り付けられている。
次に、この離脱防止管継手の接続用治具によってロックリング５を拡径する工程について説明する。
【００１６】
まず、開閉脚２３、２３先端２０、２０の開脚間隔がロックリング５の割りの幅より狭くなるようにハンドル２７を支持してねじロッド２５を回転させて閉脚調節する。
【００１７】
次いで、図４に示すように開閉脚２３、２３先端２０、２０をロックリング５の割り面５ａ、５ａ間に挿入し、前記とは逆方向へねじロッド２５を回転させて開閉脚２３、２３の先端２０、２０の間隔を強制的に開脚していく。
【００１８】
このとき、回転ハンドル２７はねじロッド２５の両端に設けられているので、ねじロッド２５の操作は何れの側からでも行え、作業の制約が無くなる。
また、両方のハンドル２７、２７を両手で操作することもできるので、力も容易に加えることができる。
【００１９】
したがって、開閉脚２３の開閉操作が容易となると共に、開閉動作はねじロッド２５両端側のねじによって行われるので、開閉動作も迅速に行われる。
実施の形態２
図５は実施の形態２である離脱防止管継手の接続用治具の斜視図、図６は受口に装着した状態を示す断面図である。
【００２０】
この実施の形態２の離脱防止管継手の接続用治具は、管受口の内面に収納された周方向一つ割りのロックリング５の、拡げられた割り面５ａ、５ａ間に挿入され、スペーサとなる板状先端部３０とこの板状先端部３０より受口内面から端面を経、受口外面へと折り返し可能に一体に設けられた柄部３１を有して構成され、上記板状先端部３０は、複数種のサイズのロックリングに対するそれぞれの割り面５ａ、５ａ間の拡大幅に対応して、幅Ｂが図中符号の３０ａ〜３０ｃで示すように階段状に変化して形成されている。
【００２１】
なお、図中３２は、それぞれ階段状に変化するスペーサ部３０ａ〜３０ｃの該当寸法を示す表示で、例えば適用される管の呼び径などが表示されている。
なお、この表示は必要に応じ設けられるもので必須のものではない。
【００２２】
次に、この離脱防止管継手の接続用治具の使用状態を説明する。
受口内面のロックリング収納溝に収納されたロックリング５の割りを例えば実施形態１の離脱防止管継手の接続用治具により拡径する。
【００２３】
そして所定間隔広がれば、図６に示すように柄部３１を支持し受口２端面側から板状先端部を挿入し、前記拡径した径に合致した幅のスペーサ部３０ａ〜３０ｃのいずれかを割り面５ａ、５ａ間に挿入する。
【００２４】
そして、受口２内面から外面にかけ柄部３１を沿わせて湾曲させて仮支持の状態とする。そして、拡径に用いた離脱防止管継手の接続用治具を取り外す。
このとき、ロックリング５は弾性で縮径するが、スペーサ部３０ａ〜３０ｃのいずれかの幅で、それより縮径するのが阻止され拡開状態を維持する。従って、ロックリング５は、拡開されたままとなって図６に示すようにロックリング収納溝３内に入り込んだ状態となる。
【００２５】
この状態で図６に示すように挿口６を挿入すると、挿口突部７はロックリング５による抵抗を受けることなくあるいは少ない抵抗で受口２内に挿入される。
なお、板状先端部３０は、受口２内面から端面を経て外面へと曲折された柄部３１でその位置が保持されるので、受口２に挿口６を挿入する際、特に保持手段を講じる必要がない。
【００２６】
そして、挿口突部７がロックリング５より受口２の奥方へ必要な抜出し距離だけ挿入されれば、柄部３１を支持して挿口６外面と受口２内面との間の隙間から板状先端部３０を引き抜く。
【００２７】
これによって、ロックリングは縮径して挿口外面に圧着し、抜け出し防止の機能を発揮する。
以上のようにロックリングを拡径し、その状態を維持する場合に、そのためのスペーサ部材の幅が板状先端部３０に複数種設けられているので、一つの治具で複数種の管に適用可能となり、それぞれの管に対応した治具を用意したり保管するといった煩雑さが解消される。
【００２８】
なお、実施の形態２における離脱防止管継手の接続用治具の板状先端部３０の形態として３種類の管に対応するものを示したが、図８に示すようにさらに多数の段状部３０ａ〜３０ｅを設け、多種類の管に適用可能にすることもできる。
【００２９】
【発明の効果】
この発明の請求項１に記載の離脱防止管継手の接続用治具は、ロックリングの拡径操作が何れの側からでも行えるので、操作が行いやすく、また、両ねじで開閉を行うので開閉動作も迅速となり、両手で力を加えることも出来るので作業も容易となる。
【００３０】
請求項２の離脱防止管継手の接続用治具は、一種の治具で多種類の管に対応可能であり、治具の保管管理の面倒さが解消される。
【図面の簡単な説明】
【図１】本発明の実施形態１の離脱防止管継手の接続用治具の正面図である。
【図２】図１のＡ-Ａ線矢視断面図である。
【図３】図２のＢ-Ｂ線断面図である。
【図４】実施形態１の離脱防止管継手の接続用治具の使用状態を示す断面図である。
【図５】実施の形態２の離脱防止管継手の接続用治具の斜視図である。
【図６】実施の形態２の離脱防止管継手の接続用治具の使用状態を示す断面図である。
【図７】実施の形態２における、離脱防止管継手の接続用治具の他の構成例の斜視図である。
【図８】従来の離脱防止管継手の断面図である。
【図９】従来の離脱防止管継手の接続治具を示す斜視図である。
【図１０】従来の離脱防止管継手の接続治具を示す斜視図である。
【図１１】従来の離脱防止管継手の接続状態を示す要部正面図である。
【符号の説明】
１    管
２    受口
３    収納溝
５    ロックリング
５ａ  割り面
６    挿口
１２    離脱防止管継手の接続用治具
１３    板状体
【図１】
0003989189.tif 000002
【図２】
0003989189.tif 000003
【図３】
0003989189.tif 000004
【図４】
0003989189.tif 000005
【図５】
0003989189.tif 000006
【図６】
0003989189.tif 000007
【図７】
0003989189.tif 000008
【図８】
0003989189.tif 000009
【図９】
0003989189.tif 000010
【図１０】
0003989189.tif 000011
【図１１】
0003989189.tif 000012